(57)【要約】【課題】  装置を大型化することなくＬＥＤによる照明ムラを解消するとともに、ＬＥＤの光量を最大限に有効活用するために、撮影条件に応じて照明特性を変化させることが可能なＬＥＤ照明装置を提供する。【解決手段】  ＬＥＤ照明装置（例えばリングライト３０）は、被写体に照明光を照射するＬＥＤ照明部３１と、ＬＥＤ照明部３１の被写体側に設けられ、照明光の拡散特性を変更可能な拡散フィルター３３と、拡散フィルター３３の拡散特性を制御する拡散特性制御部３４とを備える。また、ＬＥＤ照明部３１は、それぞれ点灯状態を変更可能な複数のＬＥＤ３１ａ、３１ｂからなり、各ＬＥＤ３１ａ、３１ｂの点灯状態を制御する点灯制御部３５を備える構成としてもよい。【選択図】図１
2012123024.tif 000002
【特許請求の範囲】
【請求項１】
被写体に照明光を照射するＬＥＤ照明部と、
前記ＬＥＤ照明部の被写体側に設けられ、前記照明光の拡散特性を変更可能な拡散フィルターと、
前記拡散フィルターの拡散特性を制御する拡散特性制御部と、
を備えることを特徴とするＬＥＤ照明装置。
【請求項２】
前記拡散特性制御部は、撮像面から被写体までの距離に応じて、近距離側では拡散度合いが相対的に大きくなり、遠距離側では拡散度合いが相対的に小さくなるように制御を行うことを特徴とする請求項１に記載のＬＥＤ照明装置。
【請求項３】
前記拡散特性制御部は、撮影レンズの焦点距離に応じて、広角側では拡散度合いが相対的に大きくなり、望遠側では拡散度合いが相対的に小さくなるように制御を行うことを特徴とする請求項１に記載のＬＥＤ照明装置。
【請求項４】
前記拡散特性制御部は、撮像感度に応じて、撮像感度が相対的に低い場合には拡散度合いが相対的に小さくなり、撮像感度が相対的に高い場合には拡散度合いが相対的に大きくなるように制御を行うことを特徴とする請求項１に記載のＬＥＤ照明装置。
【請求項５】
前記ＬＥＤ照明部は、それぞれ点灯状態を変更可能な複数のＬＥＤからなり、
前記各ＬＥＤの点灯状態を制御する点灯制御部を備えることを特徴とする請求項１〜４のいずれか１項に記載のＬＥＤ照明装置。
【請求項６】
前記点灯制御部は、撮像面から被写体までの距離に応じて、近距離側ではＬＥＤの点灯個数が相対的に少なくなり、遠距離側ではＬＥＤの点灯個数が相対的に多くなるように制御を行うことを特徴とする請求項５に記載のＬＥＤ照明装置。
【請求項７】
前記点灯制御部は、撮影レンズの焦点距離に応じて、広角側ではＬＥＤの点灯個数が相対的に少なくなり、望遠側ではＬＥＤの点灯個数が相対的に多くなるように制御を行うことを特徴とする請求項５に記載のＬＥＤ照明装置。
【請求項８】
前記点灯制御部は、撮像感度に応じて、撮像感度が相対的に低い場合にはＬＥＤの点灯個数が相対的に多くなり、撮像感度が相対的に高い場合にはＬＥＤの点灯個数が相対的に少なくなるように制御を行うことを特徴とする請求項５に記載のＬＥＤ照明装置。
【請求項９】
請求項１〜８のいずれか１項に記載のＬＥＤ照明装置を搭載したことを特徴とする撮像装置。
【発明の詳細な説明】
【技術分野】
【０００１】
本発明は、ＬＥＤ照明装置に関する。
【背景技術】
【０００２】
カメラシステム撮影用の補助光源として、従来のキセノンランプに代えてＬＥＤ照明装置が用いられるようになってきた。このようなＬＥＤ照明装置において、ＬＥＤを漏斗形状の反射筒に配置することで、被写体の近接撮影を行う場合の照射ムラを解消する技術が提案されている（特許文献１参照）。
【先行技術文献】
【特許文献】
【０００３】
【特許文献１】特開２００９−１２２５６０号公報
【発明の概要】
【発明が解決しようとする課題】
【０００４】
しかしながら、上述した従来のＬＥＤ照明装置は、漏斗形状の反射筒を有するため大型化してしまう。また、照明ムラが発生し難い撮影条件、例えば、被写体までの距離が遠い場合には、直接ＬＥＤ光を照射する場合と比較して光量ロスが考えられる。また、ＬＥＤ照明装置は、撮影露光時における補助光としての役割だけではなく、オートフォーカス時における補助光としての役割もあり、その場合には照明ムラよりも光量が優先される。
【０００５】
本発明はこのような課題に鑑みてなされたものであり、装置を大型化することなくＬＥＤによる照明ムラを解消するとともに、ＬＥＤの光量を最大限に有効活用するために、撮影条件に応じて照明特性を変化させることが可能なＬＥＤ照明装置を提供することを目的とする。
【課題を解決するための手段】
【０００６】
前記課題を解決するために、本発明に係るＬＥＤ照明装置は、被写体に照明光を照射するＬＥＤ照明部と、ＬＥＤ照明部の被写体側に設けられ、照明光の拡散特性を変更可能な拡散フィルターと、拡散フィルターの拡散特性を制御する拡散特性制御部と、を備えることを特徴とする。
【０００７】
また、このＬＥＤ照明装置において、拡散特性制御部は、撮像面から被写体までの距離に応じて、近距離側では拡散度合いが相対的に大きくなり、遠距離側では拡散度合いが相対的に小さくなるように制御を行うことが好ましい。
【０００８】
また、このＬＥＤ照明装置において、拡散特性制御部は、撮影レンズの焦点距離に応じて、広角側では拡散度合いが相対的に大きくなり、望遠側では拡散度合いが相対的に小さくなるように制御を行うことが好ましい。
【０００９】
また、このＬＥＤ照明装置において、拡散特性制御部は、撮像感度に応じて、撮像感度が相対的に低い場合には拡散度合いが相対的に小さく、撮像感度が相対的に高い場合には拡散度合いが相対的に大きくなるように制御を行うことが好ましい。
【００１０】
また、このＬＥＤ照明装置において、ＬＥＤ照明部は、それぞれ点灯状態を変更可能な複数のＬＥＤからなり、各ＬＥＤの点灯状態を制御する点灯制御部を備えることが好ましい。
【００１１】
また、このＬＥＤ照明装置において、点灯制御部は、撮像面から被写体までの距離に応じて、近距離側ではＬＥＤの点灯個数が相対的に少なくなり、遠距離側ではＬＥＤの点灯個数が相対的に多くなるように制御を行うことが好ましい。
【００１２】
また、このＬＥＤ照明装置において、点灯制御部は、撮影レンズの焦点距離に応じて、広角側ではＬＥＤの点灯個数が相対的に少なくなり、望遠側ではＬＥＤの点灯個数が相対的に多くなるように制御を行うことが好ましい。
【００１３】
また、このＬＥＤ照明装置において、点灯制御部は、撮像感度に応じて、撮像感度が相対的に低い場合にはＬＥＤの点灯個数が相対的に多くなり、撮像感度が相対的に高い場合にはＬＥＤの点灯個数が相対的に少なくなるように制御を行うことが好ましい。
【００１４】
また、本発明に係る撮像装置は、前記した構成からなるＬＥＤ照明装置を搭載したことを特徴とするものである。
【発明の効果】
【００１５】
本発明のＬＥＤ照明装置によれば、装置を大型化することなくＬＥＤによる照明ムラを解消するとともに、撮影条件に応じて照明特性を変化させて、ＬＥＤの光量を最大限に有効活用することが可能となる。
【図面の簡単な説明】
【００１６】
【図１】ＬＥＤ照明装置を適用するカメラシステムのブロック図である。
【図２】ＬＥＤ照明装置の模式図である。
【図３】実施形態１のＬＥＤ照明装置の動作を示すフローチャートである。
【図４】実施形態２のＬＥＤ照明装置の動作を示すフローチャートである。
【図５】実施形態３のＬＥＤ照明装置の動作を示すフローチャートである。
【図６】実施形態４のＬＥＤ照明装置の動作を示すフローチャートである。
【発明を実施するための形態】
【００１７】
以下、本発明の好ましい実施形態について図面を参照して説明する。まず、図１を用いて、本実施形態に係るＬＥＤ照明装置（以下、「リングライト３０」と呼ぶ）を搭載した撮像装置の一例であるカメラシステム１の構成について説明する。本実施形態に係るリングライト３０を搭載したカメラシステム１は、被写体の像を撮影レンズ１１により撮像素子１７上に結像させる構成となっており、撮影レンズ１１の前面側にリングライト３０を取り付けて使用する。このカメラシステム１は、静止画及び動画の双方を撮影可能となっている。
【００１８】
撮影レンズ１１を含むレンズ部１０は、フォーカスレンズ、ズームレンズ等からなる撮影レンズ１１、絞り（図示せず）及び撮影レンズ１１のフォーカスレンズやズームレンズを駆動する駆動装置（図示せず）等を備える。また、レンズ部１０は、駆動装置によるフォーカシングを制御するフォーカス制御部１２と、カメラシステム全体の動作を制御する本体制御部１８との間で信号の送受信を行うレンズ通信部１３を備える。
【００１９】
また、このカメラシステム１は、撮影レンズ１１からの光束を反射してファインダー光学系１５及び撮像素子１７へ導くミラー部１４を備える。このミラー部１４は、メインミラー１４ａ及びサブミラー１４ｂを備える。ここで、メインミラー１４ａは、撮影レンズ１１からの光束を反射してファインダー光学系１５に導く反射位置と、撮影レンズ１１からの光束がＣＣＤまたはＣＭＯＳなどから構成される撮像素子１７に入射するように退避する退避位置とで揺動する。また、メインミラー１４ａの一部の領域は半透過領域となっており、サブミラー１４ｂは、メインミラー１４ａの半透過領域を透過した光束を測距部１９へ反射する。このサブミラー１４ｂは、メインミラー１４ａに連動して揺動し、メインミラー１４ａが退避位置をとるときには、サブミラー１４ｂも光束から退避する。なお、測距部１９は、例えば位相差方式により入射する光束の焦点状態を検出する。
【００２０】
反射位置にあるメインミラー１４ａで反射された光束は、ファインダー光学系１５へ導かれる。ファインダー光学系１５は、被写体側から順に、スクリーン１５ａ、フォーカスポイント表示部１５ｂ、ペンタプリズム１５ｃを備える。ユーザ（撮影者）は、このファインダー光学系１５により被写界を確認することができる。
【００２１】
また、ペンタプリズム１５ｃを透過する光束の一部は測光センサ１６に導かれる。この測光センサ１６は、撮影レンズ１１へ入射する光束を複数の領域ごとに測光することにより、被写界の輝度分布を計測する。また、カメラシステム１は、外界音を集音するための一対のマイク２０ａ、２０ｂ、録画指示を行うための録画ボタン２１、複数のシーンモードの中からユーザが指示したシーンモードを入力するためのシーンモード入力部２２、ユーザが各種の操作を行うための操作部２３、撮影中の画像や不図示の記録部に記録された撮影済の画像等を表示するための液晶表示部２４、各部の動作を制御するための本体制御部１８を備える。
【００２２】
また、本体制御部１８は、フォーカス制御部１２と連携し、測距部１９の出力に応じて撮影レンズ１１を構成するフォーカスレンズの作動を制御することによりＡＦ動作を行う。また、本体制御部１８は、撮影レンズ１１を構成するズームレンズの状態（焦点距離）や、この撮影レンズ１１自体の情報（例えば、広角レンズ、望遠レンズ、マクロレンズ等のレンズ種別）を、レンズ通信部１３を介して取得することができる。
【００２３】
測光センサ１６は、上述したように、撮影レンズ１１へ入射する光束を複数の領域ごとに測光することにより被写界の輝度分布を計測するが、計測結果は本体制御部１８に出力する。本体制御部１８では、選択された測光モードに応じて露出値を算出する。測光モードとしては、明るい部分と暗い部分のバランスを取る分割測光モード、画面中央を適正露出とする中央重点測光モード、選択したフォーカスポイントの狭領域を適正露出とするスポット測光モードなどが選択され得る。
【００２４】
本実施形態のＬＥＤ照明装置は、撮影レンズ１１の前面部を囲うように取り付けることが可能なリングライト３０からなる。このリングライト３０は、図２に示すように、複数のＬＥＤ３１ａ、３１ｂからなるＬＥＤ照明部３１と、ＬＥＤ照明部３１が発する照明光の拡散特性を変化させることが可能な拡散フィルター３３と、拡散フィルター３３の拡散特性を制御する拡散特性制御部３４と、ＬＥＤ照明部３１を構成する各ＬＥＤ３１ａ，３１ｂの点灯状態を制御する点灯制御部３５を備える。拡散特性制御部３４及び点灯制御部３５は、通信ケーブル等を介して本体制御部１８に接続される。なお、ＬＥＤ照明装置はリングライト３０に限定されるものではなく、複数のＬＥＤ３１ａ，３１ｂを備えていればどのような形状であってもよい。
【００２５】
ＬＥＤ照明部３１は、複数のＬＥＤ３１ａ，３１ｂをリング状に配置したもので、各ＬＥＤ３１ａ、３１ｂは、点灯状態を変更可能な２つの群に分けられている。すなわち、複数のＬＥＤ３１ａ，３１ｂは、第１のＬＥＤ群に属するＬＥＤ３１ａと、第２のＬＥＤ群に属するＬＥＤ３１ｂとに分けられており、第１のＬＥＤ群に属するＬＥＤ３１ａと第２のＬＥＤ群に属するＬＥＤ３１ｂとでは点灯状態を別個に制御することができる。また、各ＬＥＤ群に属するＬＥＤ３１ａ，３１ｂは、ＬＥＤ群毎に同時に点灯及び消灯する。各ＬＥＤ３１ａ，３１ｂは、基板３２を介して、点灯制御部３５に接続される。
【００２６】
本実施形態では、第１のＬＥＤ群に属するＬＥＤ３１ａと第２のＬＥＤ群に属するＬＥＤ３１ｂとが交互に配置されている。なお、ＬＥＤの点灯状態を分ける群は２つに限られず、３つあるいは４つ以上であってもよい。また、各群に属するＬＥＤを１つずつ交互に配置するのではなく、２つあるいは３つ以上のＬＥＤを一組として交互に配置してもよい。また、ＬＥＤの点灯状態を３つ以上の群に分けた場合には、照明光の光量を段階的に増減することができる。
【００２７】
拡散フィルター３３は、電気的に拡散特性を変化させることが可能な透過性素材を用いて構成されており、例えば、透過型液晶を用いて構成することが可能である。この拡散フィルター３３により、撮影条件やカメラシステムの動作状況等に応じて、ＬＥＤ照明部３１から被写体に向けて照射される照明光の拡散特性を変化させる。なお、この拡散フィルター３３は、拡散特性制御部３４に接続されている。
【００２８】
拡散特性制御部３４は、拡散フィルター３３の拡散特性を制御する。本実施形態の拡散特性制御部３４による拡散特性の制御は、撮像面から被写体までの距離に応じて拡散特性を変化させる制御、撮影レンズ１１の焦点距離に応じて拡散特性を変化させる制御、及び、撮像素子１７の撮像感度に応じて拡散特性を変化させる制御の３種類である。
【００２９】
撮像面から被写体までの距離に応じて拡散特性を変更する制御では、カメラシステムの測距部１９から得られる距離情報を利用して拡散特性を制御する。すなわち、照明ムラの発生しやすい近距離撮影では、照明光の拡散度合いを大きくすることで照明ムラを防止する。一方、照明ムラの発生し難い遠距離撮影では拡散の度合いを小さくすることで被写体へ到達する光量を確保する。
【００３０】
撮影レンズ１１の焦点距離に応じて拡散特性を変化させる制御では、撮影レンズ１１より得られた焦点距離情報を利用して拡散特性を制御する。すなわち、広角レンズでは照明光の拡散度合いを大きくすることで広範囲に照明光が行きわたるようにする。一方、望遠レンズでは照明光の拡散度合いを小さくすることで被写体へ到達する光量を確保する。一般的に、望遠レンズの方が広角レンズよりも最短撮影距離が長いことから、光量ムラという観点からしても、撮影レンズ１１の焦点距離に応じて拡散特性を変化させることが好ましい。
【００３１】
撮像感度に応じて拡散特性を変更する制御は、撮像素子１７の撮影感度が高いほど光量が少なくてもよいという観点から行う制御である。すなわち、撮影感度が低い場合には、拡散度合いを小さくすることで被写体へ到達する照明光の光量を確保する。一方、撮影感度が高い場合には、拡散度合いを大きくすることで照明ムラを防止する。
【００３２】
点灯制御部３５は、ＬＥＤ照明部３１を構成する各ＬＥＤ３１ａ，３１ｂの点灯状態を制御する。本実施形態の点灯制御部３５によるＬＥＤ３１ａ，３１ｂの点灯制御は、撮像面から被写体までの距離に応じて各ＬＥＤ３１ａ，３１ｂの点灯状態を変化させる制御、撮影レンズ１１の焦点距離に応じて各ＬＥＤ３１ａ，３１ｂの点灯状態を変化させる制御、及び、撮像感度に応じて各ＬＥＤ３１ａ、３１ｂの点灯状態を変化させる制御の３種類である。
【００３３】
撮像面から被写体までの距離に応じて各ＬＥＤ３１ａ、３１ｂの点灯状態を変化させる制御では、カメラシステム１の測距部１９から得られる距離情報を利用して制御を行う。すなわち、光量が少なくてよい近距離撮影ではいずれか一方のＬＥＤ群に属するＬＥＤ３１ａ（３１ｂ）のみを点灯させて、点灯するＬＥＤの数を少なくすることでエネルギーの消費量を低減する。一方、多くの光量を必要とする遠距離撮影では２つのＬＥＤ群に属するＬＥＤ３１ａ，３１ｂを同時に点灯させて、点灯するＬＥＤ３１ａ，３１ｂの数を多くすることで被写体へ到達する光量を確保する。この際、拡散特性制御部３４による拡散特性の制御を併用することにより、さらに一層、照明ムラを防止することができる。
【００３４】
撮影レンズ１１の焦点距離に応じて各ＬＥＤ３１ａ，３１ｂの点灯状態を変化させる制御では、撮影レンズ１１より得られた焦点距離情報を利用して点灯制御を行う。すなわち、広角レンズではいずれか一方のＬＥＤ群に属するＬＥＤ３１ａ（３１ｂ）のみを点灯させることでエネルギーの消費量を低減する。一方、望遠レンズでは２つのＬＥＤ群に属するＬＥＤ３１ａ，３１ｂを同時に点灯させることで被写体へ到達する光量を確保する。上述したように、望遠レンズの方が広角レンズよりも最短撮影距離が長いことから、光量ムラという観点からしても、撮影レンズ１１の焦点距離に応じて各ＬＥＤ３１ａ，３１ｂの点灯状態を変更することが好ましい。
【００３５】
撮像感度に応じて各ＬＥＤ３１ａ，３１ｂの点灯状態を変化させる制御は、撮像素子１７の撮影感度が高いほど光量が少なくてもよいという観点から行う制御である。すなわち、撮影感度が低い場合には、２つのＬＥＤ群に属するＬＥＤ３１ａ，３１ｂを同時に点灯させることで被写体へ到達する光量を確保する。一方、撮影感度が高い場合には、いずれか一方のＬＥＤ群に属するＬＥＤ３１ａ（３１ｂ）のみを点灯させることでエネルギーの消費量を低減する。
【００３６】
以下、上述した構成からなるリングライト３０の照明動作の実施形態について説明する。なお、図３〜図６に示すフローチャートは、不図示の電源がＯＮされた状態における動作を示すものであり、拡散特性制御部３４及び点灯制御部３５、あるいは本体制御部１８が備えるフラッシュＲＯＭに記憶され、ＲＡＭに展開されたプログラムにより、拡散特性制御部３４及び点灯制御部３５、あるいは本体制御部１８で実行されるものとする。
【００３７】
［第１の実施形態］
第１の実施形態は、拡散特性制御部３４により、撮像面から被写体までの距離に応じて拡散特性を変化させる制御を行うものである。この第１の実施形態では、図３に示すように、拡散フィルター３３の拡散度合いをＯＦＦする（照明光の拡散を行わせない）ことにより、オートフォーカス時の補助光として十分な光量を確保し（ステップＳ１０１）、オートフォーカスを行う（ステップＳ１０２）。なお、オートフォーカスは、カメラシステム１のフォーカス制御部１２により行われる。また、拡散特性制御部３４は、カメラシステム１から距離情報を受信し、以降の制御に使用する。
【００３８】
次に、オートフォーカスにより得られた被写体までの距離情報（撮影距離Ｄ）と、規定距離αとを比較し（ステップＳ１０３）、撮影距離Ｄが規定距離αよりも大きい（被写体が遠くに存在する）場合は、照明ムラが発生し難いため、拡散フィルター３３による照明光の拡散を行わない。一方、撮影距離Ｄが規定距離αよりも小さい（被写体が近くに存在する）場合は、照明ムラを防止するため、拡散フィルター３３による照明光の拡散を行う（ステップＳ１０４）。
【００３９】
このようにして、照明光の拡散度合いの制御を行った後に、撮影動作を行う（ステップＳ１０５、ステップＳ１０６）。なお、本実施形態は、静止画の撮影及び動画の撮影の双方に対応している。
【００４０】
［第２の実施形態］
第２の実施形態は、拡散特性制御部３４により、撮像面から被写体までの距離に応じて拡散特性を変化させる制御を行うとともに、点灯制御部３５により、撮像面から被写体までの距離に応じて各ＬＥＤ群の点灯状態を変化させる制御を行うものである。この第２の実施形態では、図４に示すように、カメラシステム１においてオートフォーカスを行う（ステップＳ２０１）。なお、オートフォーカスは、カメラシステム１のフォーカス制御部１２により制御される。また、拡散特性制御部３４及び点灯制御部３５は、カメラシステム１から距離情報を受信し、以降の制御に使用する。
【００４１】
次に、オートフォーカスにより得られた被写体までの距離情報（撮影距離Ｄ）と、規定距離αとを比較する（ステップＳ２０２）。そして、撮影距離Ｄが規定距離αよりも大きい（被写体が遠くに存在する）場合は、十分な光量を確保するために、第１のＬＥＤ群に属するＬＥＤ３１ａと第２のＬＥＤ群に属するＬＥＤ３１ｂを同時に点灯させることにより、照明光を発するＬＥＤの数を多くする（Ｓ２０３）。また、照明ムラが発生し難いため、拡散フィルター３３による照明光の拡散を行わない（Ｓ２０４）。
【００４２】
一方、撮影距離Ｄが規定距離αよりも小さい（被写体が近くに存在する）場合は、一方の第１のＬＥＤ群に属するＬＥＤ（例えば、第１のＬＥＤ群に属するＬＥＤ３１ａ）のみを点灯させて、点灯するＬＥＤの数を少なくすることでエネルギーの消費量を低減する（Ｓ２０５）。また、照明ムラを防止するため、拡散フィルター３３による照明光の拡散を行う（ステップＳ２０６）。
【００４３】
このようにして、照明光の拡散度合いの制御及び光量の制御を行った後に、構図変更などに対応するため、再度のオートフォーカスを行った場合（ステップＳ２０７）には、撮影距離Ｄと規定距離αとの比較ステップ（ステップＳ２０２）へ戻る。一方、再度のオートフォーカスを行わない場合には、撮影動作を行う（ステップＳ２０８、ステップ２０９）。なお、本実施形態は、静止画の撮影及び動画の撮影の双方に対応している。
【００４４】
［第３の実施形態］
第３の実施形態は、拡散特性制御部３４により、撮影レンズ１１の焦点距離に応じて拡散特性を変化させる制御を行うものである。この第３の実施形態では、図５に示すように、カメラシステム１により、撮影カメラの焦点距離を検出する（ステップＳ３０１）、なお、焦点距離の検出は、カメラシステム１のレンズ通信部１３を介して取得した撮影レンズ１１の焦点距離情報に基づいて行われる。拡散特性制御部３４は、カメラシステム１から焦点距離情報を受信し、以降の制御に利用する。
【００４５】
次に、得られた焦点距離Ｆと、規定焦点距離βとを比較する（ステップＳ３０２）。そして、焦点距離Ｆが規定焦点距離βよりも長い（画角が狭い）場合は、十分な光量を確保するために、拡散フィルター３３による照明光の拡散を行わない（Ｓ３０３）。
【００４６】
一方、焦点距離Ｆが規定焦点距離βよりも短い（画角が広い）場合は、照明光を広範囲に行き渡らせるため、拡散フィルター３３による照明光の拡散を行う（ステップＳ３０４）。上述したように、広角レンズの方が望遠レンズよりも最短撮影距離が短いことから、光量ムラという観点からしても、撮影レンズ１１の焦点距離に応じて各ＬＥＤ群の点灯状態を変化させることが好ましい。
【００４７】
このようにして、照明光の拡散度合いの制御を行った後に、構図変更のためにズーミングを行った場合（ステップＳ３０５）には、焦点距離Ｆの検出ステップ（ステップＳ３０１）へ戻る。一方、ズーミングを行わない場合には、撮影動作を行う（ステップＳ３０６、ステップ３０７）。なお、本実施形態は、静止画の撮影及び動画の撮影の双方に対応している。
【００４８】
［第４の実施形態］
第４の実施形態は、拡散特性制御部３４により、撮像感度に応じて拡散特性を変化させる制御を行うものである。この第４の実施形態では、図６に示すように、カメラシステム１において設定されている撮像素子１７のＩＳＯ感度を検出する（ステップＳ４０１）。なお、拡散特性制御部３４は、カメラシステム１からＩＳＯ感度情報を受信し、以降の制御に使用する。
【００４９】
次に、得られたＩＳＯ感度と、規定値とを比較する（ステップＳ４０２、ステップＳ４０６）。なお、本第４の実施形態では、２段階でＩＳＯ感度と規定値とを比較しており、第１段階のステップＳ４０２では規定値を「１００」とし、第２段階のステップＳ４０６では規定値を「１６００」とする。ＩＳＯ感度の規定値は、これらに限定されるものではなく、ＬＥＤ照明部３１の最大光量等に応じて、適宜設定することができる。また、ＩＳＯ感度の検出ステップ数は、２ステップに限られず、１ステップであってもよいし、３ステップ以上であってもよい。
【００５０】
本実施形態では、まず、得られたＩＳＯ感度を第１の規定値である「１００」と比較する（Ｓ４０２）。ＩＳＯ感度が「１００」よりも小さい場合は、拡散フィルター３３による照明光の拡散度合いを小さくして、被写体へ到達する光量を多くする（Ｓ４０３）。一方、ＩＳＯ感度が「１００」よりも大きい場合は、得られたＩＳＯ感度を第２の規定値である「１６００」と比較する（Ｓ４０６）。そして、ＩＳＯ感度が「１６００」よりも小さい場合は、拡散フィルター３３による照明光の拡散度合いを中程度とする（Ｓ４０７）。また、ＩＳＯ感度が「１６００」よりも大きい場合は、拡散フィルター３３による照明光の拡散度合いを大きくして、光量確保よりも照明ムラの防止を優先する（Ｓ４０８）。
【００５１】
このようにＩＳＯ感度に応じて拡散フィルター３３による照明光の拡散度合いを変化させるのは、撮像素子１７の撮像感度が高いほど照明光の光量が少なくてよいためであり、撮像感度が低い場合には拡散度合いを小さくして被写体へ到達する光量を多くし、撮像感度が高い場合には拡散度合いを大きくして照明ムラを防止する。
【００５２】
このようにして、照明光の拡散度合いの制御を行った後に、撮影動作を行う（ステップＳ４０４、ステップ４０５）。なお、本実施形態は、静止画の撮影及び動画の撮影の双方に対応している。
【００５３】
［変形例］
以上の説明では、第１の実施形態〜第４の実施形態を用いて、拡散フィルター３３の拡散特性の制御及び各ＬＥＤ３１ａ、３１ｂの点灯制御を説明したが、拡散フィルター３３の拡散特性の制御及び各ＬＥＤ３１ａ，３１ｂの点灯制御を適宜組み合わせて、照明光の拡散及び光量の制御を行うことが可能である。また、拡散特性制御部３４及び点灯制御部３５をＬＥＤ照明装置（リングライト３０）に設けるのではなく、カメラシステム１の本体（カメラボディ）に拡散特性制御部３４及び点灯制御部３５を設けてもよいし、本体制御部１８の機能により、拡散フィルター３３の拡散特性の制御と各ＬＥＤ３１ａ，３１ｂの点灯状態の制御を行ってもよい。また、光量の制御は２つのＬＥＤ群の点灯を制御する（点灯しているＬＥＤの数を制御する）のではなく、各ＬＥＤの発光量を変化させるように構成しても良い。
【００５４】
なお、上述の実施形態においては、レンズ交換式一眼レフカメラシステムであるカメラシステムを例として説明したが、メインミラー１４ａやペンタプリズム１５ｃなどを省略したミラーレス一眼カメラシステムにも適用することができる。また、レンズを交換することができないカメラシステム（コンパクトカメラシステム等）においても、レンズの焦点距離や設置情報を利用することにより、照明光の拡散及び光量の制御を行うことができる。さらに、上述の実施形態においては、外付けのＬＥＤ照明装置の場合について説明したが、カメラシステムの本体（カメラボディ）に内蔵されたＬＥＤ照明装置を用いてもよい。
【符号の説明】
【００５５】
１１  撮影レンズ    ３０  リングライト（ＬＥＤ照明装置）    ３１  ＬＥＤ照明部
３１ａ  第１のＬＥＤ群に属するＬＥＤ    ３１ｂ  第２のＬＥＤ群に属するＬＥＤ
３３  拡散フィルター      ３４  拡散特性制御部    ３５  点灯制御部
【図１】
2012123024.tif 000003
【図２】
2012123024.tif 000004
【図３】
2012123024.tif 000005
【図４】
2012123024.tif 000006
【図５】
2012123024.tif 000007
【図６】
2012123024.tif 000008